(57)【要約】【課題】  視線と輻輳角及び焦点調節を繰返し行なうための眼力トレーニングシートを提供する。【解決手段】水平方向に配置された互いに類似する１対の右画像と左画像を、観察者が右目で右画像を左目で左画像を注視する際に、２個の目では、眼球周辺に備える上下直筋と外内直筋と上下斜筋を意識して動かして見る方向を設定し、且つ眼球内部に備える毛様体とチン小帯と水晶体とを意識して動かして焦点を定め、脳が備える立体を認識する機能により右画像と左画像とが重なって行き、視覚上で奥行き感のある擬似立体像が認識される平行法を、または左目で右画像を右目で左画像を注視する際には、飛び出し感のある擬似立体像が認識される交差法を実現するように、右画像と左画像が固定的に表示されるシートであって、このシートの面に右画像と左画像を複数行にそれぞれ表示すとともに、互いに隣接する行では、右画像と左画像とが次第に離隔または接近して行く傾向にして配置し、これを繰返し注視するようにする。【選択図】図１
2007236884.tif 000002
【特許請求の範囲】
【請求項１】
水平方向に配置された互いに類似する１対の右画像と左画像を、観察者が右目で右画像を左目で左画像を注視する際に、前記観察者が持つ水平方向の２個の目では、眼球周辺に備える２本の上下直筋と２本の外内（眼球の左右側にある）直筋と２本の上下斜筋を意識して動かして見る方向を設定し、且つ眼球内部に備える毛様体とチン小帯と水晶体とを意識して動かして焦点を定め、
しばらくこの状態を保っていると脳が備える立体を認識する機能により前記右画像と前記左画像とが重なって行き、これら前記右画像と前記左画像の中間に視覚上で奥行き感のある擬似立体像が認識される平行法を、または左目で前記右画像を右目で前記左画像を注視する際には、前記２個の目では、眼球周辺に備える２本の上下直筋と２本の外内（眼球の左右側にある）直筋と２本の上下斜筋を意識して動かして見る方向を設定し、且つ眼球内部に備える毛様体とチン小帯と水晶体とを意識して動かして焦点を定め、前記立体を認識する機能により視覚上で飛び出し感のある擬似立体像が認識される交差法を実現するように前記右画像と前記左画像が固定的に表示されるシートであって、
前記シートの面に前記右画像と前記左画像を複数行にそれぞれ表示し、互いに隣接する行では、前記右画像と前記左画像とが次第に離隔または接近して行く傾向にして配置したことを特徴とする擬似立体画像による眼力トレーニングシート。
【請求項２】
水平方向に配置された互いに類似する１対の右画像と左画像が固定的に表示されるシートに向かって、観察者が右目で右画像を左目で左画像を注視する際に、前記観察者が持つ水平方向の２個の目では、眼球周辺に備える２本の上下直筋と２本の外内直筋と２本の上下斜筋を意識して動かして見る方向を設定し、且つ眼球内部に備える毛様体とチン小帯と水晶体とを意識して動かして焦点を定め、しばらくこの状態を保っていると脳が備える立体を認識する機能により前記右画像と前記左画像とが重なって行き、これら前記右画像と前記左画像の中間に視覚上で奥行き感のある擬似立体像が認識される平行法と、または左目で前記右画像を右目で前記左画像を注視する際には、前記２個の目では、眼球周辺に備える２本の上下直筋と２本の外内直筋と２本の上下斜筋を意識して動かして見る方向を設定し、且つ眼球内部に備える毛様体とチン小帯と水晶体とを意識して動かして焦点を定め、前記立体を認識する機能により視覚上で飛び出し感のある擬似立体像が認識される交差法とにより眼力トレーニングを行なうシートの使用方法において、
前記シートの面に前記右画像と前記左画像を複数行にそれぞれ表示し、互いに隣接する行では、前記右画像と前記左画像とが次第に離隔または接近して行く傾向にして配置した複数の画像行を形成し、観察者が任意に最初の画像行を注視して前記平行法または前記交差法により前記眼力トレーニングを行ない、次に隣接する他の画像行を注視際には、前記２個の目では、眼球周辺に備える２本の上下直筋と２本の外内直筋と２本の上下斜筋を意識して動かして見る他の方向を設定し、且つ眼球内部に備える毛様体とチン小帯と水晶体とを意識して動かして他の焦点を定めて、前記平行法または前記交差法により前記眼力トレーニングを行ない、
注視する画像行を所定時間毎に変更して、更に他の方向を設定し且つ他の焦点を定めて、前記平行法または前記交差法により繰り返して前記眼力トレーニングを行なうことを特徴とする擬似立体画像による眼力トレーニングシートの使用方法。
【発明の詳細な説明】
【技術分野】
【０００１】  本発明は、擬似立体画像による眼力トレーニングシート及びその使用方法、即ち印刷物を使用した眼力訓練方法とその印刷物に関するものであり、特に、日常的に目にする新聞や雑誌を使用して、コンピュータ画面を見る世代及び高齢者に利用される擬似立体画像による眼力トレーニングシート及びその使用方法に関ものである。
【背景技術】
【０００２】  近来、急速な発展を成し遂げている電子文明は、各種の電子表示装置を見る世代を増大させている。その結果多くの仮性近視を生み出し目の健康、眼力への留意が注目を浴びている。又寿命が延びて高齢化に伴い何時までも健康な眼力を維持することが望まれている。【０００３】  従来の眼力トレーニングシートでは図１５に示す１５点紙４０を使用する。
１５点紙４０は例えばＡ４用紙に上方に左から右に等距離に数字１〜５を、中央に左から右に等距離に数字６〜１０を、下方に左から右に等距離に数字１１〜１５を表示する。
訓練者は１５点紙４０を両手で持ち、顔を正面中央の数字８に向けたまま、まず数字１から始めて１５まで眼球を動かすことで順番に視認する。次に数字１と２を同時に視認することから始めて順次１３と１４まで眼球を動かすことで順番に視認する。
また次に数字１と２と３を同時に視認することから始めて順次１３と１４と１５まで眼球を動かすことで順番に視認する。
更にまた数字１と２と３と４を同時に視認することから始めて順次１３と１４と１５まで眼球を動かすことで順番に視認する。同時視認する数字を増加したり、読み順を逆に１５から始めたりして毎日１０分以上続ける。
更に訓練者は１５点紙４０を顔に近づけて同様に数字を読み、次に１５点紙４０を顔から遠ざけて同様に数字を読みこれらを繰り返す。かくして眼の毛様体と眼球移動筋等が鍛えられる。【０００４】  非特許文献１  三笠書房  あなたの視力は必ず回復する
中川和宏著  １９９７年５月１０日
では紙面にちりばめた各種図形・文字を目で追って眼力を鍛えている。
非特許文献２  株：ワニマガジン社  視力・脳力を鍛えるハイパー・マジカル３Ｄ
河村明弘  監修  ２００３年１０月２５日
では１枚のハイパー・マジカル３Ｄを左右の目で見つめて擬似立体画像を脳で認識させている。
非特許文献３  株：中経出版  ５分で目が良くなる３Ｄの不思議な世界
中川和宏著  ２００３年１２月１８日
では１枚の立体用画像を、又接している２枚の左右画像を左右の目で見つめて、擬似立体画像を脳で認識させている。
非特許文献  ４  株：学習研究社  脳活性３Ｄトレーニング・ドリル
栗田昌裕著  ２００５年６月２５日
では接している２枚の左右風景画像を左右の目で見つめて、擬似立体画像を脳で認識させている。
非特許文献  ５株：日本文芸社  視力回復  アイバランスメガネ
にちぶんＭＯＯＫ  平成１４年８月１０日
では１枚の３Ｄステレオグラフィックを左右の目で見つめて擬似立体画像を脳で認識させている。【０００５】従来例の代表的発明が、本願発明者の一人が行なった、特許文献１の電子画面に表示される左右の映像を、時間列で交互に左右の目に見せて立体画像を脳で認識させている。時間列で交互に左右の目に見せるために電子シャッター付きの電子メガネを使用する「立体映像を利用する視力回復装置及び立体映像の表示方法」である。
【特許文献】  特開２００２−３３６３１７（特願２００１−１７９３５２）
【発明の開示】
【発明が解決しようとする課題】
【０００６】  従来の１５点紙４０では、眼からの情報を処理する脳の機能、特に立体認識機能を実行させるものではなく、意識と注視と眼球運動及び焦点調節運動を活発化するものには到たらなかった。
非特許文献１−５に示される印刷物やシートでは、視線と輻輳角及び焦点調節を繰返し行なうものではないので、充分な眼筋トレーニングにはならなかった。
特許文献１では観察用の電子シャッター眼鏡を購入しなければならなかった。またテレビ画面を見るので、家庭や事務所では家族や他人の承諾を得てテレビを使用する煩わしさがあった。また非特許文献１−５では、これらの本屋絵本をいつも手元に置く必要があり、置き忘れると眼のトレーニングを止めてしまう欠点があった。【０００７】  本発明は、このような問題点を解消するために案出されたものであり、毎朝見る手元の新聞や、事務所の休憩室にある雑誌をめくる毎に気楽に何時でもできる、擬似立体画像による眼力トレーニングシート及びその使用方法を提供することが目的である。
本発明の他の目的は、擬似立体画像に商品図柄を使用することで、商品・サービスの広告や消費者への企業アピールを平行して行なうことができる擬似立体画像による眼力トレーニングシート及びその使用方法を提供することである。
【課題を解決するための手段】
【０００８】  この発明は、上記問題を解決するためになされたもので、水平方向に配置された互いに類似する１対の右画像と左画像を、観察者が右目で右画像を左目で左画像を注視する際に、前記観察者が持つ水平方向の２個の目では、眼球周辺に備える２本の上下直筋と２本の外内（眼球の左右側にある）直筋と２本の上下斜筋を意識して動かして見る方向を設定し、且つ眼球内部に備える毛様体６２とチン小帯６５と水晶体６１とを意識して動かして焦点を定め、しばらくこの状態を保っていると脳が備える立体を認識する機能（視覚機能）により前記右画像と前記左画像とが重なって行き、これら前記右画像と前記左画像の中間に視覚上で奥行き（沈んだ）感のある擬似立体像が認識される平行法（パラレル）を、または左目で前記右画像を右目で前記左画像を注視する際には、前記２個の目では、眼球周辺に備える２本の上下直筋と２本の外内（眼球の左右側にある）直筋と２本の上下斜筋を意識して動かして見る方向を設定し、且つ眼球内部に備える毛様体６２とチン小帯６５と水晶体６１とを意識して動かして焦点を定め、前記立体を認識する機能（視覚機能）により視覚上で飛び出し（浮かんだ）感のある擬似立体像が認識される交差法（クロス）を実現するように前記右画像と前記左画像が固定的に表示されるシートであって、前記シートの面に前記右画像と前記左画像を複数行にそれぞれ表示すとともに、互いに隣接する行では、前記右画像と前記左画像とが次第に離隔または接近して行く傾向にして配置した眼力トレーニングシートを繰返し注視することを特徴とする。
【発明の効果】
【０００９】  大人も子供も高齢者も、年齢・性別を問わず毎朝新聞を、また通勤電車の中で本に目を通す・見るついでに３分間本願の印刷物を見つめることで、眼力の鍛錬となり、手間や時間や特別な費用をかけることなく目の健康が増進・維持できる。
【発明を実施するための最良の形態】
【００１０】以下、本発明の実施例を説明する前に、視力と脳の解釈構造及び左右目による遠近図法や立体視の基本的な原理についてそれぞれ説明する。
まず、人間の脳について、大脳生理学・解剖学上公知の構造・機能について図９、図１０で説明する。
近年脳医学や生体脳スキャナーや脳波の研究・開明や生化学の進歩により、人間の脳構造と脳の各種機能と機能部位（大脳での分布位置）が明らかにされつつある。
図解雑学「脳のしくみ」岩田誠監修によると、人間の脳１０ではほぼ左右対称の左脳１１と右脳１２とからなる大脳とその後ろ下方の小脳１３とから構成される。脳全体を大脳皮質１４が被っているが左右の側頭連合野１５の（耳）下方に小面積の聴覚野１６がそれぞれあり、後方の後頭連合１８の下方（小脳１３の上方）で左右に小面積の視覚野１９がそれぞれある。【００１１】  球体の大脳皮質は側面から見て、空間領域分布では前頭葉２０、頂上の頭頂葉２１、後頭葉２２、側頭葉２３から構成される。
耳の情報を受けるのが聴覚野１６で、それは左右耳のやや上方、側頭葉２３の中央下方部にあり、一方眼の情報を受ける左右視覚野１９は左右後頭葉２２の最後部下端にある。
更に大脳は機能上では、５感からの情報を処理し、判断する５つの連合野からなり、これらは前頭連合野２４、頂上の頭頂連合野２５、後頭連合野１８、側頭連合野１５、前頭連合野２４と頭頂連合野２５に挟まれた運動連合野２６である。各連合野は左右の脳に対象的に分布し、各連合野は脳発達・成長とともにその機能性を高めて行く。【００１２】  視覚野１９が、目からの色、形、奥行き、動き情報を受けて、後頭連合野１８ではこれらの情報を分析・統合して対象物を判断し認識する。
また脳には交叉支配というものがあり、右目を始め体の右の情報・運動は左脳に支配され、左目を始め体の左の情報・運動は右脳に支配される。
脳の左半球の働きは、話す、書く、判断など論理的思考、計算機能が主である。一方右半球は左右の視野に対して満遍なく対応する機能があり、空間内の総合認識や操作機能を優位に備えている。更に右半球は、絵画の全体的構成、未知のメロディーの認知、視覚に入る外界の全体的情報の解読に優位に機能する。【００１３】  次に、左右目による遠近図法や立体視の基本的な原理では、人間において、左右の眼に同一の物体であっても両眼の並んだ水平方向に位置がずれた視差を有して結像している。図１１に示すように人間が太陽や遠くの山や川等の無限遠を見ている時には、眼球が動いて左右の眼に入る光軸（左右の視線）が平行になり、左の眼に見えるものは右に移動し、右の眼に見える同一のものは左に移動した状態で見える。図１２において光軸が平行な状態では、眼に近い位置の物体の視差Ｓ１は遠い物体の視差Ｓ２、Ｓ３より大きくなっている。遠くになればなるほど視差は次第に小さくなるＳ１＞Ｓ２＞Ｓ３。【００１４】  また目先から約１００メートル先までの物体を見ると、図１３において左右の眼球がその方向を向くように動き、左右の眼は、見ている物体に対して輻輳角Ｔを形成する。眼に近い位置の物体の輻輳角Ｔ１は遠い物体の輻輳角Ｔ２より大きくなっているＴ１＞Ｔ２。
左右の眼から入った画像は左右が交叉して図９、１０の右左の視覚野１９が、目からの色、形、奥行き、動き情報を受け、後頭連合野１８ではこれらの情報を分析・統合して対象物を判断し立体画像を認識する。【００１５】  人間の脳はこれら図１３の輻輳角Ｔと図１２の視差Ｓにより当該物体の立体像を認識し且つ遠近を判断している。この輻輳角Ｔ１、Ｔ２は本来人間の脳が、両眼球の視線と焦点調節（水晶体の調節）と左・右視差に基づいて認識する。
さて、図１４において、人間の眼の手前から次第に離れるように、物体Ｂ１、Ｂ２、次に文字が描かれた印刷物Ｐ、物体Ｂ３、Ｂ４が順に並べたものを見る場合を考察する。【００１６】  目が透明下地の印刷物Ｐの文字に焦点を合わせると、その物体（印刷物）Ｐ上で左右の眼の光軸が交差するが、印刷物Ｐの手前にある物体Ｂ１、Ｂ２では左右の視差について、左の眼に見えるものは右に移動し、右の眼に見える同一のものは左に移動した状態で見える。
図１４ではその後、左目をカバーＣで覆い右目でこれらを見る場合の状態を示し、透明板Ｐの手前にある物体Ｂ１、Ｂ２では、図１２の目の光軸が互いに平行の場合と同様に、右の眼に見える同一の物体Ｂ１、Ｂ２は夫々左に移動した状態で見え、且つ眼に近い位置の物体Ｂ１の変移量Ｌ１は遠い物体Ｂ２の変移量Ｌ２より大きくなっている。遠くになればなるほど変移量（視差の一要素）は次第に小さくなる（Ｌ１＞Ｌ２、これを正比例と定義、後述する交差法に該当）。【００１７】  図１４でその後、右目をカバーＣで覆い（図示せず）左目でこれらを見ると、透明板Ｐの手前にある物体Ｂ１、Ｂ２では、左の眼に見える同一の物体Ｂ１、Ｂ２は夫々右に移動した状態で見え、且つ眼に近い位置の物体Ｂ１の変移量は遠い物体Ｂ２の変移量より大きくなることが図示しないが容易に推測できる。
左の眼に見える同一の物体Ｂ１の変移量と、右の眼に見える同一の物体Ｂ１の変移量との和が視差となるが以後の説明では以下この変移量も視差として説明する。
さて、図１４においてこの交差点（印刷物Ｐ）より以遠では、右の眼に見える同一物体Ｂ３、Ｂ４は夫々逆に右に移動した状態で見える。更に、この交差点より以遠では、逆に右眼（透明板Ｐ）に近い位置の物体Ｂ３の変移量Ｌ３は、遠い物体Ｂ４の変移量Ｌ４より小さくなっている。眼（交差点・印刷物Ｐ）より遠くになればなるほど視差は次第に大きくなる（Ｌ３＜Ｌ４反比例となる、後述する交差法に該当）。【００１８】  図示しないが、同様に左の眼に見える同一物体Ｂ３、Ｂ４は夫々左に移動して見え、変移量についても反比例となることが容易に推測できる。
即ち、交差点（透明板の印刷物Ｐ）を境にして、手前と以遠とでは、変移方向と変移量が逆転するのである。
これは新聞紙を正面にして手前にある自分の指を見つめて、指を目に近づけて指に目の焦点を合わせていくと、動かない新聞紙は焦点がぼけてくるが左右に大きく視野一杯に広がって見えてくることで、理解できる。【００１９】  更に図１６において、視差について詳しく説明する。３次元空間にある物体即ち視標１０ａを人間が見る場合、左目５３Ｌと右目５３Ｒの網膜に写った像の違いを脳内の視覚野１９と、後頭連合野１８で処理して奥行きを知覚すると考えられている。動物たる人類の左右の目５３Ｌ・５３Ｒは約４−５ｃｍ離れているため、その視差（両眼視差）は近距離において奥行きを知覚するもっとも重要な要因となっている。
今理解を容易にするため視標１０ａを立方体とし、側面に円が描かれている、左目５３Ｌには立方体１０ａの左側面５１が広く見え、右側面５２が狭まって（細長い楕円状）見える。これを左目視差効果度と定義する。
一方右目５３Ｒには立方体１０ａの右側面５２が広く（円状に）見え、左側面５１が狭まって（長方形に）見える。これを右目視差効果度と定義する。【００２０】  自然界に於ける人間の目では、左右の目５３Ｌ・５３Ｒが約４−５ｃｍ離れている理由で、右目視差効果度と左目視差効果度とこれらの映像相関計数は万人に共通で一定の規則性に従っている。
これらの映像相関計数＝右目視差効果度と左目視差効果度の差と和で定義する。
一方コンピュータ映像では、映像制作過程で、右目視差効果度と左目視差効果度とこれらの映像相関計数とを自由に変化・設定が可能である。しかし、自然界に於けるで一定の規則性に従った右目視差効果度と左目視差効果度呼び映像相関計数に対して、コンピュータで制作した立体映像データが余りにかけ離れたものになると、観賞時に観察者の脳は混乱してしまい映像目眩や吐き気をもようすことがある。【００２１】  次に図１７において、無限遠点Ｗ（人間の生活空間では１０ｍ後方で充分）から距離Ｌ１に立方体１０ａがある場合と、距離Ｌ２に立方体１０ａがある場合と、距離Ｌ３に立方体１０ａがある場合とを考察する。距離Ｌ２は丁度新聞紙等の位置とする。
立方体１０ａを見る場合には、観察者に近い距離Ｌ３の立方体１０ａは大きく（表示面積大）、観察者から中間位置距離Ｌ２にある立方体１０ａは中程度に（表示面積中）、観察者から遠い距離Ｌ１の立方体１０ａは小さく（表示面積小）それぞれ表示する。これを透視図法による遠近面積率と定義する。遠近面積率は左右の目に共通である。【００２２】  次に、この発明の基本となる擬似立体映像について説明する。
歴史的にはカメラの出現以後にステレオカメラが知られている。人間の左右の目に対応して水平に約４−５ｃｍ接近した２個のレンズで同時に２枚の人物や生活空間の風景写真を撮る。又第２次大戦中から今日まで立体航空写真が利用されており、ここでも左右の目に対応した水平に約４−５ｃｍ接近した２個のレンズで同時に２枚の航空写真を、上空から見た地上の映像を写真に撮る。
撮影フイルムを現像した写真を左右に並べて、左右の目で同時に見ることで立体映像を人間が認識する。ステレオ写真では古くは生存中のガンジーの写真や、立体航空写真では東京の航空写真が知られている。
写真を左右に並べて、左目用写真を左目で、右目用写真を右目で見る専用装置があり、この装置では左右の目の間に白い壁を設けて左右の視界が互いに混入しないようにし、独立の左右画像を脳で結合させて、擬似立体画像を脳が認識するようにしている。後述する平行法に該当する。航空写真の観察専門家は、この平行法により裸眼で左右分離壁を設けなくても左右２枚の写真から、凹凸のある地域の立体画像を容易に認識できる。【００２３】  次に医学上知られている目の生理学上の構成について以下に説明する。
図１８において、眼球６０は外から見える角膜と虹彩と水晶体６１と内部の硝子体と毛様体６２と網膜と黄斑と視神経とから構成される。眼球６０は外部を見るためにキョロキョロ動けるように、図１９に示す６本の眼筋６３に外表が結合されている。眼筋６３は２本の上下直筋と２本の外内（眼球の左右側にある）直筋と２本の上下斜筋である。
眼球６０は角膜と連続した柔らかい袋体６４に包まれており、６本の眼筋６３が袋体６４を特定な位置から引くことで、眼球６０が動く。【００２４】  水晶体６１は柔らかい厚みのある円盤形であり、図２０に示すようにその周縁部を囲むように毛様体６２が位置し、毛様体６２は略円環状であり、その外周部が角膜と袋体６４とが連続する位置と結合している。毛様体６２の内周部に水晶体６１があり、毛様体６２の内周部と水晶体６１の外周部とは糸状の無数のチン小帯６５で接続されている。
毛様体６２が弛緩すると、チン小帯６５が緊張して水晶体６１が引っ張られて圧縮されて扁平となり、眼が遠くを見る状態になる。
一方毛様体６２が収縮すると、図２１に示すようにチン小帯６５が緩み水晶体６１が膨らむようになり厚くなり、眼が近くを見る状態になる。【００２５】  人間が意識して遠・近を見る場合には、毛様体６２とチン小帯６５と水晶体６１とが動き焦点調整を行い、周囲を見る場合は、６本の眼筋６３及び毛様体６２とチン小帯６５と水晶体６１とが同時に動くことになる。
さて、長時間のテレビ観賞や電子表示装置上での仕事や子供の長時間に渡るテレビゲーム、通常の長時間の文書仕事では、眼の視界方向が一定、見ている対象画像への焦点距離が一定となっている。従って眼の６本の眼筋６３及び毛様体６２とチン小帯６５と水晶体６１が運動不足になり、さまざまな健康障害を起こす原因となる。【００２６】  外部から間接的に触れられる人間の筋肉では、手で揉んだり、屈伸運動をしたり、背伸びしたりして疲労回復が可能である。
眼の６本の眼筋６３及び毛様体６２とチン小帯６５と水晶体６１は元々小さく頭部内部の細かい筋肉であるので、任意に手で揉んだり、屈伸運動をしたり、背伸びしたり出来ない筋である。このような状況のために、非特許文献１−５の書物と、特許文献１の装置が活用されている。【００２７】  次に立体視の平行法（パラレル法）と交差法（クロス法）について、非特許文献１−５を参照して説明する。
図７において、平行法（パラレル法）では、左目で左目用の画像を、右目で右目用の画像をそれぞれ同時に見る、暫らく見つめていると脳の働きにより、左右の画像が重なって３枚の画像が見えてくる。このとき真中の画像が脳で左右の合成された擬似立体画像である。擬似立体図では真中の画像の部分が奥に凹んで（沈んで）見えてくる。【００２８】  図８において、交差法（クロス法）では左目で右目用の画像を、右目で左目用の画像をそれぞれ同時に見る、暫らく見つめていると脳の働きにより、左右の画像が重なって３枚の画像が見えてくる。このとき真中の画像が脳で左右の合成された擬似立体画像である。立体図では真中の画像の部分が手前に飛び出して（浮かんで）見えてくる。
交差法（クロス法）では左右の目線が左右の画像の前で交差し、図１の濃い線画に示すように左右の目は寄り目になっている。この時に図１９−２１に示す眼の６本の眼筋６３及び毛様体６２とチン小帯６５と水晶体６１とが動いている。
本願は、上記平行法（パラレル法）と交差法（クロス法）を利用する擬似立体画像による眼力トレーニングシート及びその使用方法、即ち印刷物を使用した眼力訓練方法とその印刷物であり、以下具体的に説明する。
【実施例１】
【００２９】  図１において紙やビニール、厚紙などのシート１の表面を仮想の分割線２で左右に分割し、左シート３と右シート４とを作成し、更にシート１を水平方向の仮想直線で上下方向に左右の空白欄左３Ａ、３Ｂ、３Ｃ、３Ｄと空白欄右４Ａ、４Ｂ、４Ｃ、４Ｄとに８分割する。
これら空白欄左３Ａ、３Ｂ、３Ｃ、３Ｄと空白欄右４Ａ、４Ｂ、４Ｃ、４Ｄに上から下方向に、左画像５Ａ、５Ｂ、５Ｃ、５Ｄと右画像６Ａ、６Ｂ、６Ｃ、６Ｄとを互いに分離してそれぞれ表示する。
表示方法は、筆やペンで描いた絵、印刷、写真、図面のコピーなど右画像と左画像が表示できるのもなら自由に選択できる。左画像５Ａと、５Ｂ、５Ｃ、５Ｄ及び右画像６Ａ、６Ｂ、６Ｃ、６Ｄはほぼ同一の形状の図形であり、図１では簡単な１対の立方体の斜視図である。【００３０】  空白欄左３Ａと空白欄右４Ａとが同一行で、また空白欄左３Ｂと空白欄右４Ｂ、更に空白欄左３Ｃと空白欄右４Ｃ、なお更に空白欄左３Ｄと空白欄右４Ｄとがそれぞれ水平方向に同一行の位置関係である。従って、左画像５Ａと右画像６Ａが、左画像５Ｂ、右画像６Ｂが、左画像５Ｃと右画像６Ｃが、右画像５Ｄと右画像６Ｄとがそれぞれ水平方向に同一行の位置関係になる。
上欄の空白欄左３Ａと空白欄右４Ａにそれぞれ表示された左画像５Ａと右画像６Ａとの距離は最も接近したＬ１であり、次欄の空白欄左３Ｂと空白欄右４Ｂにそれぞれ表示された左画像５Ｂと右画像６Ｂとの距離はやや離れたＬ２であり、３蕃目欄の空白欄左３Ｃと空白欄右４Ｃにそれぞれ表示された左画像５Ｃと右画像６Ｃとの距離は離れたＬ３であり、下欄の空白欄左３ＢＤ空白欄右４Ｄにそれぞれ表示された左画像５Ｄと右画像６Ｄとの距離は最も離れたＬ４である。【００３１】  即ちＬ４＞Ｌ３＞Ｌ２＞Ｌ１の関係であり、次第に下の行に行くに従って、各対になる左画像５Ａと、５Ｂ、５Ｃ、５Ｄと右画像６Ａ、６Ｂ、６Ｃ、６Ｄは互いに離隔して行く傾向に表示されている。
この配置関係は、逆に最下の行では左画像５Ｄと右画像６Ｄが最も接近し、下から上の行に行くに従って、各対になる左画像５Ｃと、５Ｂ、５Ａと右画像６Ｃ、６Ｂ、６Ａとが互いに次第に離隔して行く傾向に表示してもよい。【００３２】  図２では、一方の立方体の正面に数字を記入した斜視図である。
上欄の空白欄左３Ａの左画像５Ａには白丸が、対する空白欄右４Ａの右画像６Ａには数字１が表示されている。
次欄の空白欄左３Ｂの左画像５Ｂには白丸が、対する空白欄右４Ｂの右画像６Ｂには数字２が表示されている。
第３欄の空白欄左３Ｃの左画像５Ｃには白丸が、対する空白欄右４Ｃの右画像６Ｃには数字３が表示されている。
下欄の空白欄左３Ｄの左画像５Ｄには白丸が、対する空白欄右４Ｄの右画像６Ｄには数字４が表示されている。【００３３】  図３では、双方の立方体の正面に数字を記入した斜視図である。
上欄の空白欄左３Ａの左画像５Ａには数字１が、対する空白欄右４Ａの右画像６Ａにも数字１が表示されている。
次欄の空白欄左３Ｂの左画像５Ｂには数字２が、対する空白欄右４Ｂの右画像６Ｂにも数字２が表示されている。
第３欄の空白欄左３Ｃの左画像５Ｃには数字３が、対する空白欄右４Ｃの右画像６Ｃにも数字３が表示されている。
下欄の空白欄左３Ｄの左画像５Ｄには数字４が、対する空白欄右４Ｄの右画像６Ｄにも数字４が表示されている。【００３４】  図４では、ほぼ相似形状の一対の円筒缶の斜視図である。
最上の行ではほぼ同一の形状の左画像５Ａと右画像６Ａが最も小さく、下の行に行くに従って、各対になる左画像５Ｂ、５Ｃ、５Ｄと右画像６Ｂ、６Ｃ、６Ｄは、距離が次第に大きくなると共に、画像が次第に拡大されて行く傾向に表示されている。
この大きさが変化する関係は、逆に最下の行では左画像５Ｄと右画像６Ｄが最も小さく、次第に下から上の行に行くに従って、左画像５Ｃと、５Ｂ、５Ａと右画像６Ｃ、６Ｂ、６Ａとの距離が次第に大きくなると共に、画像が拡大して行く傾向に表示してもよい。【００３５】  図５では、非特許文献１−３に示すような一対の風景写真である。
ここでも図１のように次第に下の行に行くに従って、各対になる左画像５Ａと、５Ｂ、５Ｃ、５Ｄと右画像６Ａ、６Ｂ、６Ｃ、６Ｄは互いに次第に離隔して行く傾向に表示されている。即ちＬ４＞Ｌ３＞Ｌ２＞Ｌ１の関係である。
この配置関係でも、逆に最下の行では左画像５Ｄと右画像６Ｄが最も接近し、次第に下から上の行に行くに従って、各対になる左画像５Ｃと、５Ｂ、５Ａと右画像６Ｃ、６Ｂ、６Ａとが互いに次第に離隔して行く傾向に表示してもよい。
風景写真の場合は、左画像５Ａと、５Ｂ、５Ｃ、５Ｄには立体写真による左目用写真を、右画像６Ａ、６Ｂ、６Ｃ、６Ｄには右目用写真を表示することが望ましい。
【実施例２】
【００３６】  図６では図３の下方に追加して、非特許文献２のページ７−４７や非特許文献５のページ２０−２１にある擬似立体用の画像（ハイパーマジカル３Ｄ）７を下方に平行に並べて表示する。この擬似立体用の画像（ハイパーマジカル３Ｄ）７は１枚の画像であるがその上方には略４ｃｍ（人間の両目の平均的な間隔）離れた黒丸のマークが表示されている。
交差法（クロス）や平行法（パラレル法）を意識的に実行すると、２個の黒丸のマークが接近して行き、真中で重なって中間にもマークが出現し３個のマークとなる。脳が備える立体を認識する機能（視覚機能）により、この１枚の画像から浮き（飛び）出した、または沈んだ（奥行きのある）擬似立体画像が現れてくる。
図６の上方にある図３のような対の図形を見た後では、この視覚機能が慣らされてこの１枚の擬似立体用画像を見ると擬似立体が容易に認識される。その結果平面画像で見えなかったいわゆる隠れた文字ＡＢＣ…や１２３…などが浮かんで、或いは沈んで次第に見えてくる。この様子を宝くじ探しや、懸賞品探しに利用できる。図６では例えば「月」の絵が現れることを示している。【００３７】  図５において、説明した視差のある画像や図形を、各対になる左画像５Ａと、５Ｂ、５Ｃ、５Ｄと右画像６Ａ、６Ｂ、６Ｃ、６Ｄととして表示すると擬似立体がより実立体になって見えてくる。
従って、図１−４及び図６の立方体や円筒を視差のある画像や図形とすると、明確な擬似立体が容易に認識される。
各実施例の動作を説明する。
さて、図７の平行法（パラレル法：左目で左目用の画像を、右目で右目用の画像をそれぞれ同時に見る）で、図１を観察する場合をその右側に対応して示した眼の動きとともに説明する
まず最上欄では左目で左画像５Ａを右目で右画像６Ａを意識して暫らく見つめると、図１０の運動連合野２６が両眼を動かすプログラムをつくる。プログラムは隣接後方の運動野に伝達され、そこから両目を動かす指令が脊髄上部の頚髄に届き、図１９の眼球外側の２本の上下直筋と２本の外内（眼球の左右側にある）直筋と２本の上下斜筋を動かし、左目を左画像５Ａに、右目を右画像６Ａに視線を合せる。この平行法（パラレル法）では観察者は一般に訓練と練習が必要で、初心者では航空写真観察者のように左右の目の間と左右画像との間に垂直に白紙の壁を立てると次第に慣れてくる。【００３８】  更にこのシート１が新聞や雑誌であれば焦点が目前４０ｃｍ−５０ｃｍであるので、図２１に示すように特に図１０の運動連合野２６が意識しなくても自動的に毛様体６２が収縮し、チン小帯６５が緩み水晶体６１が膨らんで厚くなり、眼が近くのこれら画像を見る状態になる。この時左右の眼球は図１の１行目右に点線で示す瞳のように、やや内向きではあるがほぼ平行な視線となっている。
その後脳の働きにより、図１の左右の画像が重なって３枚の画像が見えてくる。このとき真中の画像が脳で左右の合成された擬似立体画像である。立体図では真中の画像の部分が奥に凹んで（沈んで）見えてくる。【００３９】  次に図１の２番目の欄、空白欄左３Ｂと空白欄右４Ｂに両視線を移動させる。左目で左画像５Ｂを右目で右画像６Ｂを意識して見つめようとすると、同様に図１０の運動連合野２６が両眼を動かすプログラムをつくる。この行では、左画像５Ｂと右画像６Ｂとは上の行に較べて離れているので、前述同様な脳機能により、図１９の眼球外側の２本の上下直筋と２本の外内（眼球の左右側にある）直筋と２本の上下斜筋を少し動かし、左目を左画像５Ｂに、右目を右画像６Ｂに視線を合せる。
この時左右の眼球は図１の２行目右に示すように、内向からほぼ平行な視線となる（交差法の実線図と重なっている）。更に眼球の向きが変わることで、僅かながら見つめるシート１との距離が変化するので、その変化量に応じて図２０、図２１の毛様体６２とチン小帯６５とが動き水晶体６１が変形し、眼がこれら画像を見る状態になる。その後脳の働きにより、左右の画像が重なって３枚目の擬似立体画像が見えてくる。【００４０】  次に３番目の欄、空白欄左３Ｃと空白欄右４Ｃに両視線を移動させる。次の左目で左画像５Ｃを右目で右画像６Ｃを意識して見つめようとすると、図１０の運動連合野２６が両眼を動かすプログラムをつくる。この行では、左画像５Ｃと右画像６Ｃとは隣上の行に較べて離れているので、前述同様な脳機能により、眼球外側の２本の上下直筋と２本の外内（眼球の左右側にある）直筋と２本の上下斜筋を又少し動かし、左目を左画像５Ｃに、右目を右画像６Ｃに視線を合せる。
この時左右の眼球は図１の３行目右に示すように、僅かに外向の視線、点線で示す瞳のようにとなる。こうして眼球の向きが変わることで、僅かながら見つめるシート１との距離が変化して、その変化量に応じて毛様体６２とチン小帯６５とが動き水晶体６１が変形し、眼がこれら画像を見る状態になる。その後脳の働きにより、左右の画像が重なって３枚目の擬似立体画像が見えてくる。【００４１】  次に最下欄、空白欄左３Ｄ空白欄右４Ｄに両視線を移動させる。次の左目で左画像５Ｄを右目で右画像６Ｄを意識して見つめようとすると、運動連合野２６が両眼を動かすプログラムをつくる。この行では、左画像５Ｄと右画像６Ｄとは第３番目の行に較べて離れているので、前述同様な脳機能により、眼球外側の２本の上下直筋と２本の外内（眼球の左右側にある）直筋と２本の上下斜筋を又更に少し動かし、左目を左画像５Ｄに、右目を右画像６Ｄに視線を合せる。
この時左右の眼球は図１の４行目右に示すように、普通の人駕できる最大の外向の視線、点線で示す瞳のようにとなる。ここまで両眼が反対で外向きの視線になると普通の観察者では無理であるが、眼球回りにある６筋肉の運動には効果がある。こうしてなお眼球の向きが変わることで、なお僅かながら見つめるシート１との距離が変化して、その変化量に応じてなお毛様体６２チン小帯６５が動き水晶体６１も変形し、眼がこれら画像を見えるように努力する状態になる。【００４２】  次にこの視線から、逆に最下欄から一足飛び最上欄、空白欄左３Ａ空白欄右４Ａに両視線を移動させると、左目で左画像５Ａを右目で右画像６Ａを意識して見つめようとすると、運動連合野２６が両眼を動かすプログラムをつくる。この第１行では、左画像５Ａと右画像６Ａとは接近しているので、前述同様な脳機能により、眼球外側の２本の上下直筋と２本の外内（眼球の左右側にある）直筋と２本の上下斜筋が最大スパンの移動位置から戻る方向に動き、左目を左画像５Ａに、右目を右画像６Ａに視線を合せる。この時左右の眼球は図１の１行目右に点線で示す瞳のように、やや内向きではあるがほぼ平行な視線に戻る。観察者にとってはこの状態の視線保持が容易である。
観察者が上記１番目の欄から順次４番目の欄を繰返し注視する、または逆に４番目の欄から順次欄１番目の欄を繰返し注視するで、脳機能の運動及び眼球回りにある６筋肉の運動と、毛様体６２とチン小帯６５の動きと水晶体６１の運動が繰返し行なわれる。【００４３】  慣れてくると、観察者は上記１番目の欄から４番目の欄を任意の順番で返し注視してもよい。
この時左右の眼球運動は図１の右側に示すように、眼球がやや内向きほぼ平行な視線から次第に外向きに移り、更に元の方向に変わることで眼球回りにある６筋肉が揉まれ、僅かながら見つめるシート１との距離が変化して、その変化量に応じて毛様体６２とチン小帯６５が連動して動き水晶体６１が変形する。
このように、視線を４欄に渡って順次、又は任意に変更することで、外部からは手揉みが出来ない顔内部にある眼球回りの眼筋と毛様体６２とチン小帯６５と水晶体６１の軽い運動を行なわせることができる。【００４４】  図２では、一方の立方体に数字を記入した斜視図である。空白欄左３Ａの左画像５Ａの白丸と空白欄右４Ａの右画像６Ａの数字１とが脳の働きにより、重なって数字１を伴った３枚目の擬似立体画像が見えてくる。この場合は一方の数字が両方の目に見えてくるので、脳機能の訓練に最適であり、観察者も運動連合野２６と視覚野１９を自覚できる。慣れた観察者では容易である。
２番目欄では空白欄左３Ｂの左画像５Ｂの白丸と空白欄右４Ｂの右画像６Ｂ数字２とが脳の働きにより、重なって数字２を伴った３枚目の擬似立体画像が見えてくる。慣れた観察者でも努力が要る。【００４５】  ３番目欄では空白欄左３Ｃの左画像５Ｃの白丸と空白欄右４Ｃの右画像６Ｃ数字３とが脳の働きにより、重なって数字３を伴った３枚目の擬似立体画像が見えてくる。慣れた観察者でもやや困難で時々擬似立体画像は分離して見える。しかし眼筋と毛様体６２とチン小帯６５と水晶体６１の軽い運動は実行される。
最下欄の空白欄左３Ｄの左画像５Ｄの白丸と空白欄右４Ｄの右画像６Ｄ数字４とが脳の働きにより、重なって数字４を伴った３枚目の擬似立体画像が見えてくる。慣れた殆どの観察者でも容易ではなく、大半の人には幾ら努力しても左右に２個づつ４個の画像に見える。それでも眼筋と毛様体６２とチン小帯６５と水晶体６１の運動は試されている。【００４６】  図３では、双方の立方体に数字を記入した斜視図である。左画像５Ａの数字１と右画像６Ａの数字１とが脳の働きにより、重なって数字１を伴った３枚目の擬似立体画像が見えてくる。慣れた観察者では容易である。
２番目欄では左画像５Ｂの数字２と右画像６Ｂ数字２とが脳の働きにより、重なって数字２を伴った３枚目の擬似立体画像が見えてくる。慣れた観察者でも努力が要る。
３番目欄では左画像５Ｃの数字３と右画像６Ｃ数字３とが脳の働きにより、重なって数字３を伴った３枚目の擬似立体画像が見えてくる。慣れた観察者でもやや困難で時々擬似立体画像は分離して見える。しかし眼筋と毛様体６２とチン小帯６５と水晶体６１の軽い運動は実行される。
最下欄の左画像５Ｄの数字４と右画像６Ｄ数字４とが脳の働きにより、重なって数字４を伴った３枚目の擬似立体画像が見えてくる。慣れた殆どの観察者でも容易ではなく、大半の人には幾ら努力しても左右に２個づつ４個の画像に見える。それでも眼筋と毛様体６２とチン小帯６５と水晶体６１の運動は試されている。
る。それでも眼筋と毛様体６２とチン小帯６５と水晶体６１の運動は試されている。【００４７】  図４では、最小形円筒の斜視図である。左画像５Ａの円筒と右画像６Ａの円筒とが脳の働きにより、重なって３枚目の擬似立体画像（右側に図示）の円筒が見えてくる。慣れた観察者では容易である。
２番目欄ではやや大きい円筒の斜視図である。左画像５Ａの円筒と右画像６Ａの円筒とが脳の働きにより、重なって３枚目の擬似立体画像（右側に図示）のやや大きい円筒が見えてくる。慣れた観察者でも努力が要る。
３番目欄では大きい円筒の斜視図である。左画像５Ａの円筒と右画像６Ａの円筒とが脳の働きにより、重なって３枚目の擬似立体画像（右側に図示）の大きい円筒が見えてくる。慣れた観察者でもやや困難で時々擬似立体画像は分離して見える。しかし眼筋と毛様体６２とチン小帯６５と水晶体６１の軽い運動は実行される。
４番目欄では最も大きい円筒の斜視図である。左画像５Ａの円筒と右画像６Ａの円筒とが脳の働きにより、重なって３枚目の擬似立体画像（右側に図示）の大きい円筒が見えてくる。慣れた観察者でも困難で擬似立体画像は分離して見える。しかし眼筋と毛様体６２とチン小帯６５と水晶体６１の軽い運動は実行される。擬似立体画像（右側に図示）の円筒が次第に大きく（小さく）なり脳活動とともに眼球の運動と焦点調整が実行される。【００４８】  図５では、ステレオカメラによる左右視差のある風景写真である。４番目欄では最接近しているので、用意に立体視が可能である。２番目欄、３番目欄、４番目欄と左右写真が離れて行くので、次第に立体視が困難になるが、風景を楽しみながら、脳活動とともに眼球の運動と焦点調整が実行される。
図６では脳活動とともに眼球の運動と焦点調整が慣れた後に、擬似立体用の画像（ハイパーマジカル３Ｄ）７を見ると、脳の受け入れ準備がなされているので、意外と用意に立体画像を認識できる。【００４９】  次に図８の交差法（クロス法：左目で右目用の画像を、右目で左目用の画像をそれぞれ同時に見る）を、図１を観察する場合をその右側に対応して示した眼の動きとともに説明する。
まず最上欄では右目で左画像５Ａを左目で右画像６Ａを意識して暫らく見つめると、図１０の運動連合野２６が両眼を動かすプログラムをつくる。プログラムは隣接後方の運動野に伝達され、そこから両目を動かす指令が脊髄上部の頚髄に届き、図１９の眼球外側の２本の上下直筋と２本の外内（眼球の左右側にある）直筋と２本の上下斜筋を動かし、左目を左画像５Ａに、右目を右画像６Ａに視線を合せる。
新聞や雑誌であれば焦点が目前４０ｃｍ−５０ｃｍであるので、図２１に示すように特に図１０の運動連合野２６が意識しなくても自動的に毛様体６２が収縮し、チン小帯６５が緩み水晶体６１が膨らんで厚くなり、眼が近くのこれら画像を見る状態になる。この時左右の眼球は図１の１行目右に実線で示す瞳のように、ほぼ平行な視線となっている。
その後脳の働きにより、図１の左右の画像が重なって３枚の画像が見えてくる。このとき真中の画像が脳で左右の合成された擬似立体画像である。立体図では真中の画像の部分が奥に飛び出して（浮んで）見えてくる。【００５０】  次に図１の２番目の欄、右目で左画像５Ｂを左目で右画像６Ｂを意識して見つめようとすると、同様に図１０の運動連合野２６が両眼を動かすプログラムをつくる。この行では、左画像５Ｂと右画像６Ｂとは上の行に較べて離れているので、前述同様な脳機能により、図１９の眼球外側の２本の上下直筋と２本の外内（眼球の左右側にある）直筋と２本の上下斜筋を少し動かし、右目を左画像５Ｂに、左目を右画像６Ｂに視線を合せる。
この時左右の眼球は図１の２行目右に示すように、まだほぼ平行な視線となる（交差法は実線図）。更に眼球の向きが変わることで、僅かながら見つめるシート１との距離が変化するので、その変化量に応じて図２０、図２１の毛様体６２とチン小帯６５とが動き水晶体６１が変形し、眼がこれら画像を見る状態になる【００５１】  次に３番目の欄、右目で左画像５Ｃを左目で右画像６Ｃを意識して見つめようとすると、図１０の運動連合野２６が両眼を動かすプログラムをつくる。この行では、左画像５Ｃと右画像６Ｃとは隣上の行に較べて離れているので、前述同様な脳機能により、眼球外側の２本の上下直筋と２本の外内（眼球の左右側にある）直筋と２本の上下斜筋を又少し動かし、右目を左画像５Ｃに、左目を右画像６Ｃに視線を合せる。
この時左右の眼球は図１の３行目右に示すように、僅かに内向の視線、実線で示す瞳のようにとなる。こうして眼球の向きが変わることで、僅かながら見つめるシート１との距離が変化して、その変化量に応じて毛様体６２とチン小帯６５とが動き水晶体６１が変形し、眼がこれら画像を見る状態になる。【００５２】  次に最下欄、右目で左画像５Ｄを左目で右画像６Ｄを意識して見つめようとすると、運動連合野２６が両眼を動かすプログラムをつくる。この行では、左画像５Ｄと右画像６Ｄとは第３番目の行に較べて離れているので、前述同様な脳機能により、眼球外側の２本の上下直筋と２本の外内（眼球の左右側にある）直筋と２本の上下斜筋を又更に少し動かし、右目を左画像５Ｄに、左目を右画像６Ｄに視線を合せる。
この時左右の眼球は図１の４行目右に示すように、普通の人駕できる最大の内向の視線、実線で示す瞳のようにとなる。ここまで両眼が内向きの視線（寄り目）になると普通の観察者では無理であるが、眼球回りにある６筋肉の運動には効果がある。こうしてなお眼球の向きが変わることで、なお僅かながら見つめるシート１との距離が変化して、その変化量に応じてなお毛様体６２チン小帯６５が動き水晶体６１も変形し、眼がこれら画像を見えるように努力する状態になる。【００５３】  ここでもこの視線から、逆に最下欄から一足飛びに最上欄、空白欄左３Ａ空白欄右４Ａに両視線を移動させると、右目で左画像５Ａを左目で右画像６Ａを意識して見つめようとすると、運動連合野２６が両眼を動かすプログラムをつくる。この第１行では、左画像５Ａと右画像６Ａとは接近しているので、前述同様な脳機能により、眼球外側の２本の上下直筋と２本の外内（眼球の左右側にある）直筋と２本の上下斜筋が最少スパンの移動位置から戻る方向に動き、右目を左画像５Ａに、左目を右画像６Ａに視線を合せる。この時左右の眼球は図１の１行目右に実線で示す瞳のように、ほぼ平行な視線に戻る。観察者にとってはこの状態の視線保持が容易である。
観察者が上記１番目の欄から順次４番目の欄を繰返し注視する、または逆に４番目の欄から順次欄１番目の欄を繰返し注視するで、脳機能の運動及び眼球回りにある６筋肉の運動と、毛様体６２とチン小帯６５の動きと水晶体６１の運動が繰返し行なわれる。
この発明によれば、毎朝見る手元の新聞や事務所の休憩室にある雑誌により、何時でもそばにある擬似立体画像による眼力トレーニングシート及びその使用方法を提供できる。
以上説明した実施例に限定することなく、分野において通常の知識を有するものであれば本発明の思想と精神を離れることなく本発明を修正または変更できるであろう。
【図面の簡単な説明】
【００５４】
【図１】  この発明の擬似立体画像による眼力トレーニングシートの印刷状態及びそれらを観察する際に眼球が動いた状態を示す実施例１の図である。
【図２】  図１の左右画像に一方は無字とし他方には数字を表示したものと脳機能により認識された擬似立体画像を示す図である。
【図３】  図１の左右画像に双方ともに同じ数字を表示したものと脳機能により認識された擬似立体画像を示す図である。
【図４】  対となる左右画像が次第に拡大していくものを表示したものと脳機能により認識された擬似立体画像を示す図である。
【図５】  この発明の擬似立体画像による眼力トレーニングシートに対となる左右画像に建物の風景画像を表示した図である。
【図６】  図３の複数行ある左右画像の下方に非特許文献２のハイパー・マジカル３Ｄのような１枚画による擬似立体画像を配置した実施例２の図である。
【図７】  この発明の擬似立体画像を脳機能により認識させ発生させる平行法を説明するための図である。
【図８】  この発明の擬似立体画像を脳機能により認識させ発生させる交差法を説明するための図である。
【図９】  この発明の擬似立体画像を認識する脳を上から見た図である。
【図１０】  この発明の擬似立体画像を認識する脳を側面から見た図である。
【図１１】  人間の目が無限縁を見た時の光軸の平衡状態を示す図である。
【図１２】  人間の目の光軸が平衡になった時に視差の発生状態を示す図である。
【図１３】  人間の目が近くの物体を見た時の光軸の交差状態を示す図である。
【図１４】  人間の目の光軸が交差した時に視差の発生状態を示す図である。
【図１５】  従来の実物による方向・遠近トレーニング法の数字を示す図である。
【図１６】  両眼による左右視差を説明するための図である。
【図１７】  透視図法による遠近図形を説明する図である。
【図１８】  人間の眼の構造を示す垂直断面図である。
【図１９】  人間の目の眼球の周りにある６本の筋肉の配置を示す外観図である。
【図２０】  人間の目が遠くに焦点を合せた状態の水晶体と毛様体とチン小帯を説明する正面図と扁平な水晶体の簡略側面図である。
【図２１】  人間の目が近くに焦点を合せた状態の水晶体と毛様体とチン小帯を説明する正面図と膨らんだ水晶体の簡略側面図である。
【符号の説明】
【００５５】  １・・・シート、２・・・分割線、３・・・左シート、４・・・右シート、３Ａ、３Ｂ、３Ｃ、３Ｄ・・・空白欄左、４Ａ、４Ｂ、４Ｃ、４Ｄ・・・空白欄右、５Ａ、５Ｂ、５Ｃ、５Ｄ・・・左画像、６Ａ、６Ｂ、６Ｃ、６Ｄ・・・右画像、７・・・擬似立体用の画像、１０・・・脳、１９・・・視覚野、６０・・・眼球、６１・・・水晶体、６２・・・毛様体、６３・・・眼筋、６４・・・袋体、Ｌ１、Ｌ２、Ｌ３、Ｌ４・・・距離、Ｔ１、Ｔ２・・・輻輳。
【図１】
2007236884.tif 000003
【図２】
2007236884.tif 000004
【図３】
2007236884.tif 000005
【図４】
2007236884.tif 000006
【図５】
2007236884.tif 000007
【図６】
2007236884.tif 000008
【図７】
2007236884.tif 000009
【図８】
2007236884.tif 000010
【図９】
2007236884.tif 000011
【図１０】
2007236884.tif 000012
【図１１】
2007236884.tif 000013
【図１３】
2007236884.tif 000014
【図１２】
2007236884.tif 000015
【図１５】
2007236884.tif 000016
【図１４】
2007236884.tif 000017
【図１６】
2007236884.tif 000018
【図１７】
2007236884.tif 000019
【図１８】
2007236884.tif 000020
【図１９】
2007236884.tif 000021
【図２０】
2007236884.tif 000022
【図２１】
2007236884.tif 000023